(57)【要約】【課題】  除去が容易な吸液性パッドの除去タイミングの判断が難しい。また、滲出液が少ない創傷の場合の滲出液の喪失防止。【解決手段】吸液性パッドを二以上の小パッドに分断可能な状態にし、これら小パッドを不要なものは除去し、必要なものはそのままの状態か、或いは移動等することにより、創縁部用吸液性パッドを新たに設ける。【選択図】図３
2011115513.tif 000002
【特許請求の範囲】
【請求項１】
人体貼着用のフィルム状ないしシート状の基材と、この基材における少なくとも一部に設けた創面接触部と、この創面接触部を覆うと共に、当該創面接触部の表面に軽く付着させ、かつ意識的な取り除きは簡単に行えるように仮固着された創傷面用吸液性パッドとからなり、さらに当該パッドがその創傷接触面に垂直な方向に少なくとも二以上に分断されていることを特徴とする救急絆創膏。
【請求項２】
請求項１に記載のパッドの表面の少なくとも一部に粘着剤層を有することを特徴とする救急絆創膏。
【請求項３】
請求項１及び２の救急絆創膏において分断された創傷面用吸液性パッドのそれぞれを除去又は／及び位置変更等することにより、フィルム状ないしシート状の基材又は／及び創面接触部上に新たに環状等の形状に創縁部用吸液性パッドとして配置することを特徴とする救急絆創膏の使用方法。
【発明の詳細な説明】
【技術分野】
【０００１】  本発明は創傷の止血、排液、治癒の促進、保護等に用いる救急絆創膏等に関する。
【背景技術】
【０００２】  創傷の止血、排液、治癒の促進、さらにその保護の各段階全てに対応できる絆創膏が提案（特許文献１）されている。環状パッドを用いたカテーテル固定用ドレッシング（特許文献２）及び創傷絆創膏（特許文献３）も提案されている。さらにパッドの分断についても提案（特許文献４、５）されている。
【先行技術文献】
【特許文献】
【０００３】
【特許文献１】特許４１３４０２１
【特許文献２】特開平５−２８５２２４
【特許文献３】実開Ｈ０１−１３０７１６
【特許文献４】特開２００８−９３３９６
【特許文献５】特開２００８−２５９６２９
【発明の概要】
【発明が解決しようとする課題】
【０００４】  特許文献１においては治癒の促進段階は吸液性パッドを除去して使用するするので創傷治癒に必要とされる滲出液の貯留が可能である。しかし、滲出液の適量保持は簡単でなく、（１）特に一般人にとっては吸液性パッドの除去タイミングの判断は容易ではない。（２）また特に滲出液の少ない創傷の場合、吸液性パッドあり、なしの二段階では対応が困難であることも判明した。即ち、創傷の治癒に必要な滲出液の喪失が発生するのである。
【課題を解決するための手段】
【０００５】  創傷面用吸液性パッドありの状態、なしの状態に加えて、創縁部用吸液性パッドありの状態を新たに設定した。これは創面には用いず、創縁部にのみパッドを配置し、創面と創面接触部等との間に適度な空間を形成することにより滲出液を保持する設計であり、より開放性も増すのである。その結果、滲出液の適量保持が非常に容易となり、パッドの変更タイミングの判断も容易となった。特許文献１は吸液性パッドなしの状態を治癒促進及び保護段階としているが最も重要な判断は創傷部の治癒過程の初期段階と治癒促進段階の区分であり、吸液性パッドの除去タイミングである。吸液性パッドの除去が遅れると創面から滲出液が吸収除去され、滲出液喪失状態となり、早すぎると滲出液の漏出、さらにこれによる皮膚との粘着部の剥がれ等が発生するのである。特に滲出液が少ない創傷の場合は吸液性パッドなしの状態でも滲出液が皮膚と被覆材間に吸着分散し、創面の滲出液が喪失するのである。しかし、本発明の創縁部用吸液性パッドありの状態を治癒促進段階、創傷面用吸液性パッドありの状態を止血段階、パッドなしの状態を保護段階にそれぞれ用いることにより滲出液量の管理をより適切に、より柔軟に実施することができ、その結果前記問題点を解決することができるのである。具体的には創傷面用吸液性パッドを複数の小パッドに分断可能な状態にしたのである。これにより（１）各小パッドを移動又は／及び除去等することによりフィルム状ないしシート状の基材又は／及び創面接触部上において、当該創傷の創縁部に対応する創縁部用吸液性パッドを新たに形成した救急絆創膏を得て、これを当該創傷部に適用することができる。（２）或いは各小パッドを一旦除去し、当該創傷部の創縁部皮膚上に直接これを配置し、創縁部に環状等の創縁部用吸液性パッドを新たに形成したのち残余のフィルム状ないしシート状の基材及び創面接触部等の被覆材を用いて当該創傷部を被覆することができるのである。この場合、前記被覆材と創縁部用吸液性パッドが接着固定されるのを防ぐために前記パッドの少なくとも一部をシリコン加工等によって非接着性とすることもできる。即ち、貼り直しを可能にし、さらに皮膚の伸縮による歪みにも対応したのである。これは創縁部皮膚上に環状等の創縁部用吸液性パッドを配置形成したのち被覆材を用いる創傷の新たな治療方法の提案でもある。
【発明の効果】
【０００６】  受傷直後の創傷部の治癒過程の止血段階では創傷面用吸液性パッドありの状態で使用し、その後の治癒促進段階は創縁部用吸液性パッドありの状態で使用し、さらに保護段階においてはパッドなしの状態で使用することにより、一つの商品形態で創傷に対してより適性な対応が可能となるのである。即ち、（１）創傷面用吸液性パッドありの状態で使用→パッドなしの状態で使用、（２）創傷面用吸液性パッドありの状態で使用→創縁部用吸液性パッドありの状態で使用→パッドなしの状態で使用、（３）創縁部用吸液性パッドありの状態で使用→パッドなしの状態で使用等、創傷の種類、程度等により、種々組合せて用いることができるのである。
【発明を実施するための形態】
【０００７】  創傷面を湿潤な環境に保つ、所謂ウェット法、創傷面を乾燥環境に導く、所謂ドライ法いずれの方法の選択も創面被覆部の透湿度をコントロールすることで可能である。透湿度はウェット法の場合は３００ｇ／ｍ２・２４ｈ以下（ＪＩＳ  Ｚ  ０２０８、ＪＩＳ  Ｋ  ７１２９による）が好ましく、ドライ法の場合は３００〜８０００ｇ／ｍ２・２４ｈ（前記同様）程度が好ましい。また、治癒促進に不可欠な創傷治癒成分を含む滲出液の喪失は創縁部用吸液性パッドの使用により防ぐことができる。
【０００８】  本発明の救急絆創膏は人体貼付用のフィルムないしシート状の「基材」と、この基材における少なくとも一部に設けた「創面接触部」と、この創面接触部を覆うとともに、当該創面接触部の表面に意識的な取り除きは簡単に行えるように仮固着された「創傷面用吸液性パッド」からなるものである。さらに創傷面用吸液性パッドは二以上に分断されており、この分断された小パッドを除去又は／及び位置変更等することにより、フィルム状ないしシート状の基材又は／及び創面接触部上に、或いは創縁部皮膚上に新たに環状等の形状に「創縁部用吸液性パッド」を設けることができる。
【０００９】  本発明の救急絆創膏における前記「基材」としては、柔軟で絆創膏としての使用感を損ねるものでなければ特に限定されるものではない。既知の天然繊維及び／又は人造繊維で形成されたフィルムないしシート、又、高分子材料で形成されたフィルムないしシートを適宜選択して用いることができるのであり、これらの基材から選ばれた少なくとも二種以上を積層したフィルムないしシート状の積層体として用いてもよいのである。
【００１０】  前記高分子材料としてはポリエチレン、ポリプロピレン、ポリアミド、ポリエステル、ポリウレタン、ポリ塩化ビニル、ポリブタジェン、ブチルゴム、シリコーンゴム等の合成樹脂、天然樹脂、合成ゴム、天然ゴム等を挙げることができる。
【００１１】  本発明の救急絆創膏は前記「基材」の片面の少なくとも一部ないし全面にわたって粘着剤層が形成される。使用中に自然に剥離しない程度の粘着力を有し、しかも発汗等による水分に接触しても容易に粘着性を喪失しないものであれば特に限定されるものではない。一般的に既知の親油性粘着剤が用いられ、塗布厚は１０〜７０μｍ程度が一般的である。
【００１２】  本発明の救急絆創膏における前記「創面接触部」とは、本発明の救急絆創膏を創傷部に貼着させた際に、創傷部を覆い、創傷面と創面接触部間内で主に創傷治癒成分を含む滲出液を滞留させて当該滲出液の喪失を防ぎ、ドライ法やウェット法のそれぞれに適した透湿性、通気性等を有し、通液性を多少有するものも含まれるのである。これは「創面接触部」が基材における一部の場合には当該基材の層のみが創傷治癒成分を含む滲出液を滞留させて当該滲出液の喪失を防ぐように構成すればよいのであり、また、当該基材の一部に非粘着剤層部を設け、この非粘着剤層部を創面接触部として用いることもできる。さらに基材の少なくとも一部に積層固定されたフィルムないしシートを創面接触部として用いる場合には、基材の層、粘着剤層、当該フィルムないしシートの積層体が創傷治癒成分を含む滲出液を滞留させて当該滲出液の喪失を防ぐように構成すればよいのである。具体的には創面接触部を透湿度で管理するのが好ましい。また、シリコン加工等により創傷に対して非固着性としたり、粘着剤に対して軽剥離性とすることもできるのである。
【００１３】  フィルムないしシートとしては特に限定されるものではないが、前述の高分子材料で形成されたフィルムないしシートの他、天然繊維、人造繊維等で形成されたものが挙げられ、さらにハイドロコロイドシートも含まれる。このハイドロコロイドシートはポリアクリル酸及びその塩等の親水性高分子等で構成されたもの、ポリイソブチレン等の合成ゴム或いは天然ゴム、合成樹脂、天然樹脂等と親水性高分子等で構成されたもの等が挙げられる。
【００１４】  「創傷面用吸液性パッド」としては、吸水性のシートで形成されたものであって、血液や排液と接触、これを吸収するものであれば紙類、不織布、織布、編み物等、特に限定されるものではない。創面接触部から創傷面用吸液性パッドを除去する際、当該パッドや粘着剤の一部が創面接触部に残留することを防止するために当該パッドの創面接触部側にポリエチレンやポリエステル等の無孔フィルム、有孔フィルム、或いはネット状物等を残留防止用のフィルムないしシートとして接着又は融着等の方法により積層固定することができる。同様にポリエチレン等の樹脂を用いて塗布或いはスプレー等の方法で加工することも可能である。
【００１５】  本発明において、創傷面用吸液性パッドを創面接触部の表面に意識的な取り除きは簡単に行えるように仮固着させる方法としては特に限定されるものではないが、具体的には（１）創面接触部と創傷面用吸液性パッドとを粘着力の弱い粘着剤で仮固着させたり、（２）創面接触部と創傷面用吸液性パッドとの間における粘着剤層の表面にポリエチレンゃポリプロピレン等の粉末を散布して粘着力を低下させたり、（３）創面接触部が粘着剤層部である場合、創傷面用吸液性パッドにおける創面接触部側の表面にシリコーン樹脂加工等による離型処理を施したり、（４）創面接触部がフィルムないしシートの場合、この表面にシリコーン樹脂加工等による離型処理を施したりする方法等が挙げられる。
【００１６】  本発明は下記の実施例に限定されるものではない。
【実施例１】
【００１７】  肌色コットン不織布（５５ｇ／ｍ２）を基材として用い、これにアクリル系粘着剤を３０ｇ／ｍ２の比率で塗布した。創傷面用吸液性パッドとしてレーヨン・ポリオレフィン系不織布（９０ｇ／ｍ２）を用い、この両面にポリエチレンネット（１２ｇ／ｍ２）を融着積層した。片面は残留防止用シートとして、片面は創傷面に対する非固着性シートとして用いた。次に残留防止用シート面に、必要な時に、意識的な取り除きが簡単に行える程度の接合力を有するアクリル系粘着剤を２０ｇ／ｍ２の比率で塗布した。この粘着剤層にポリエチレンフィルム（３０ｇ／ｍ２）を創面接触部として仮固着した。これを２０ｍｍ×３０ｍｍにカットし、同時に２０ｍｍ×５ｍｍの小パッド６個に分断可能なように創傷面用吸液性パッドのみカットした。さらにこの創面接触部側を前記肌色コットン不織布に貼付し、固定した。つぎにこれらを挟むように剥離紙を積層貼着したのち、創傷面用吸液性パッド等の積層体が中央に位置するように５０ｍｍ×６０ｍｍに切断して本発明の救急絆創膏を得た。また、創縁部用吸液性パッドが必要な場合は、この剥離紙の一部を剥離し、当該パッド部を露出させ、例えば、小パッドを２個除去し、４個移動することにより当該創傷部を囲み、その創縁部に対応する位置に新たな形状のパッドを設置し、創縁部用吸液性パッドありの状態の救急絆創膏を得ることができる。
【図面の簡単な説明】
【００１８】図面の寸法、形状等の比例関係は実物と異なる。
【図１】実施例１の断面図である。
【図２】実施例１の剥離紙を除き、創傷面用吸液性パッドありの状態における貼付面側の平面図である。
【図３】実施例１の剥離紙を除き、創縁部用吸液性パッドありの状態における貼付面側の平面図である。中央部はパッドなしの部分である。
【符号の説明】
【００１９】  １    肌色コットン不織布
２    粘着剤層
３    創面接触部
４    創傷面用吸液性パッド
５    残留防止シート
６    非固着性シート
７    剥離紙
８    創縁部用吸液性パッド
９    小パッド
１０    切断部位
１１    中央のパッドなしの部分
【図１】
2011115513.tif 000003
【図２】
2011115513.tif 000004
【図３】
2011115513.tif 000005